(57)【特許請求の範囲】
【請求項１】
光コネクタプラグの挿抜方向に沿って筒状プラグ本体の中心部に光ファイバ用の接続用貫通孔が設けられてなる光コネクタプラグにおいて、
前記貫通孔に貫通するように前記挿抜方向に直交する半径方向へ前記プラグ本体に設けられた収納孔と、
前記収納孔に装着具を介して阻止部材が装着されるものであって、前記貫通孔に挿入された光ファイバによって前記貫通孔への阻止部材の拡開が阻まれるとともに、前記貫通孔により光ファイバが挿入されていない時には前記貫通孔へ阻止部材が拡開して閉塞し光ファイバの挿着を阻止する遮蔽部材とを有してなり、
前記遮蔽部材における少なくとも前記阻止部材は、繰り返して使用できるように弾性変形する弾性部材で形成されているとともに、
当該阻止部材は、バネ部材をくの字に屈曲させ、該屈曲部分に光ファイバの心線の先端部が貫通孔から挿入されて衝突し該心線の挿着が阻止されるようにされた屈曲部材であること、
を特徴とする光コネクタプラグ。
【発明の詳細な説明】
【技術分野】
【０００１】
本発明は、光通信におけるハーネスの光コネクタプラグに係り、詳しくは、光コネクタの嵌合後に、プラスチック光ファイバ(Plastic Optical Fiber : 以下、ＰＯＦコードという)が光コネクタプラグから一度引き抜かれた場合には、再度の嵌合・接続を防止するようにした光コネクタプラグに関するものである。
【背景技術】
【０００２】
従来、例えば、医療機器などにおいては衛生上の理由として嵌合・抜去が可能なコネクタプラグと相手方コネクタとにおいて、前記コネクタプラグが嵌合後に前記相手方コネクタから引き抜かれた後は、再度、このコネクタプラグが相手方コネクタに嵌合させることができないようにするとともに、相手方コネクタに不要な部材を残さないようにするコネクタプラグが知られている（特許文献１，２参照）。
【先行技術文献】
【特許文献】
【０００３】
【特許文献１】特開２００９−９９４５９号公報
【特許文献２】特開２００９−１８７８４６号公報
【発明の概要】
【発明が解決しようとする課題】
【０００４】
かかる従来のコネクタプラグの例では、相手方コネクタに対して前記コネクタプラグ自身が嵌合できないように工夫したものである。しかしながら、例えば、遊戯具においては光コネクタプラグのＰＯＦコードを強制的に前記光コネクタプラグから引き抜いて、替わりに予め用意した不正用のＰＯＦコードを前記光コネクタプラグに再度挿着して、不正行為を働くことがある。このような場合には、相手方コネクタに対する前記コネクタプラグ自体の再利用防止対策では対応できないものである。本発明に係る光コネクタプラグは、このような課題を解決するために提案されたものである。
【課題を解決するための手段】
【０００５】
本発明に係る光コネクタプラグの上記課題を解決して目的を達成するための要旨は、 光コネクタプラグの挿抜方向に沿って筒状プラグ本体の中心部に光ファイバ用の接続用貫通孔が設けられてなる光コネクタプラグにおいて、前記貫通孔に貫通するように前記挿抜方向に直交する半径方向へ前記プラグ本体に設けられた収納孔と、前記収納孔に装着具を介して阻止部材が装着されるものであって、前記貫通孔に挿入された光ファイバによって前記貫通孔への阻止部材の拡開が阻まれるとともに、前記貫通孔により光ファイバが挿入されていない時には前記貫通孔へ阻止部材が拡開して閉塞し光ファイバの挿着を阻止する遮蔽部材とを有してなり、前記遮蔽部材における少なくとも前記阻止部材は、繰り返して使用できるように弾性変形する弾性部材で形成されているとともに、当該阻止部材は、バネ部材をくの字に屈曲させ、該屈曲部分に光ファイバの心線の先端部が貫通孔から挿入されて衝突し該心線の挿着が阻止されるようにされた屈曲部材であることを含むものである。
【発明の効果】
【０００８】
本発明の光コネクタプラグによれば、前記遮蔽部材によって、相手モジュール、光リンク、光コネクタ用アダプタ等に嵌合させた後に、前記光コネクタプラグからＰＯＦコードを無理に引き抜いた後は、再びＰＯＦコードを前記光コネクタプラグに挿着することが不可能になり、不正な操作を防止できる。
【０００９】
また、前記遮蔽部材における阻止部材と装着具とは弾性部材で一体に形成されていることで、部品点数が減り在庫管理も容易になる。更に、前記阻止部材は、バネ部材をくの字に屈曲させた屈曲部材であること、若しくは、バネ部材の板材であるので、確実にＰＯＦコードの挿入・装着を阻止することができる。
【００１０】
前記装着具は、挿抜方向の前後に脚部があり、該脚部は収納孔に装着されると貫通孔に挿着された光ファイバの外皮の一部に食い込んで抜去防止作用をするので、プラグ本体からのＰＯＦコードの抜けを防止することができる、と言う数々の優れた効果を奏するものである。
また、遮蔽部材を圧接部材と別個に独立して形成し、光コネクタ用プラグに取り付けることが出来るようにすれば、既存の光コネクタプラグに追加することが可能となるとともに、２度差しによる不正行為を低コストで実現できる。
【図面の簡単な説明】
【００１１】
【図１−Ａ】本発明に係る光コネクタプラグ１における遮蔽部材２の正面図（Ａ）、側面図（Ｂ）、平面図（Ｃ）、底面図（Ｄ）である。
【図１−Ｂ】同本発明に係る光コネクタプラグ１における遮蔽部材２で、図１−Ａの（Ｂ）におけるＡ−Ａ線に沿った断面図である。
【図２】同本発明の光コネクタプラグ１のプラグ本体３における遮蔽部材２の使用方法と遮蔽作用を説明する説明図（Ａ）〜（Ｄ）である。
【図３】同本発明の光コネクタプラグ１のプラグ本体５における他の実施例に係る遮蔽部材２ｅとバネ部材６，シャッター７の使用方法を説明する説明図（Ａ）〜（Ｃ）である。
【図４】同本発明の光コネクタプラグ１のプラグ本体５における他の実施例に係る遮蔽部材２ｊとトーションバネ６，シャッター部材７の遮蔽作用を説明する説明図（Ａ）〜（Ｃ）である。
【図５】同本発明の第３実施例に係る遮蔽部材９の平面図（Ａ）と、側面図（Ｂ）とである。
【図６】同遮蔽部材９の使用状態を示す平面図（Ａ）と、使用状態の説明用断面図（Ｂ）とである。
【発明を実施するための形態】
【００１２】
本発明に係る光コネクタプラグ１は、図１−Ａ、図１−Ｂに示すように、ＰＯＦコード４の再度の挿入・挿着作用を阻止する遮蔽部材２を有するものである。
【実施例１】
【００１３】
前記光コネクタプラグ１は、図２（Ａ）に示すように、光コネクタプラグ１の挿抜方向ａに沿って筒状のプラグ本体３の中心部に光ファイバ用の接続用貫通孔３ｂが設けられてなる光コネクタプラグにおいて、前記貫通孔３ｂに貫通するように前記挿抜方向ａに直交する半径方向へ収納孔３ａが設けられている。
【００１４】
前記収納孔３ａに装着具（天板２ｂ、脚部２ｃ，２ｄ、補強板２ｆ）を介して装着されるものであって、前記貫通孔３ｂに挿入されたＰＯＦコード４によって前記貫通孔３ｂへの阻止部材（板バネ２ａ、屈曲部２ｅ）の拡開が阻まれるとともに、前記貫通孔３ｂにＰＯＦコード４が挿入されていない時には前記貫通孔3bへ前記阻止部材（板バネ２ａ、屈曲部２ｅ）が拡開して、前記貫通孔３ｂを閉塞しＰＯＦコード４の挿着を阻止する遮蔽部材２が設けられる。
【００１５】
前記遮蔽部材２は、図１−Ａに示すように、板バネ部材によって形成するものであり、平板状の天板２ｂと、該天板２ｂの両端縁部から垂設される脚部２ｃ，２ｄ、同じく補強板２ｆとで装着具として形成され、そしてこれらの装着具と一体にして、阻止部材である板バネ２ａ、屈曲部２ｅが形成されている。前記装着具と阻止部材とは別部材で形成しても良いが、一体に形成することで部品点数が減り、コスト低減となるものである。
【００１６】
前記阻止部材としての板バネ２ａには、屈曲部２ｅが形成されており、この屈曲部２ｅの部分に、ＰＯＦコード４の心線４ａ先端部が衝突して、それ以上の進入を阻止するものである。図１−Ｂに示すように、補強板２ｆは、天板２ｂの補強部材である。また、挿抜方向の前後にある脚部２ｃ，２ｄにおいては、プラグ本体３の収納孔３ａに装着した場合に、ＰＯＦコード４のプラグ本体３からの抜けを防止するために、当該光ファイバの外皮の一部に食い込んで抜去防止作用をする圧接ガイド部２ｇが、二股状にして形成されている。
【００１７】
この様にして、前記遮蔽部材２が形成され、それをプラグ本体３に適用するには、図２（Ａ）に示すように、ＰＯＦコード４が貫通孔３ｂに正規の位置に装着された状態において、前記遮蔽部材２を収納孔３ａに差し込んで挿着する。
【００１８】
すると、図２（Ｂ）に示すように、屈曲部２ｅを有する板バネ２ａが、閉じられた状態で収まる。貫通孔３ｂにＰＯＦコード４が存在するので、前記板バネ２ａの下部が拡開することが出来ないのである。
【００１９】
次に、図２（Ｃ）に示すように、前記プラグ本体３から前記ＰＯＦコード４を無理やり引き抜いた状態となった後は、前記遮蔽部材２の板バネ２ａが収納孔３ｂから貫通孔３ｂ内へと拡開する。よって、貫通孔３ｂの挿抜方向ａにおいて、板バネ２ａの屈曲部２ｅが展開されて存在し、ＰＯＦコード４の心線４ａがフェルール３ｃに挿入されるのを阻止する。
【００２０】
よって、図４（Ｄ）に示すように、ＰＯＦコード４がプラグ本体３の貫通孔３ｂに挿入されても、その心線４ａ先端部が屈曲部２ｅに衝突して、それ以上挿入することができない。前記プラグ本体３にＰＯＦコード４が装着され、遮蔽部材２が取り付けられた後は、前記ＰＯＦコード４を前記プラグ本体３から引き抜いて再びＰＯＦコード４を挿入して光接続しようとしても不可能となり、遊戯具などの不正な使用が防止されるものである。このようにして、ＰＯＦコード４の引抜による不正操作を防止できるものである。
【実施例２】
【００２１】
本発明の第２実施例に係る光コネクタプラグ１ａは、図３（Ａ）〜（Ｃ）に示すように、遮蔽部材２の変形例であって、この実施例の遮蔽部材８は、装着具２ｊと、阻止部材であるトーションバネ６および該トーションバネ６とは別部材でそのバネの付勢力で回動され、貫通孔５ｃに展開されるシャッター部材７とでなる。前記装着具２ｊは、前記装着具（天板２ｂ、脚部２ｃ，２ｄ、補強板２ｆ）とほぼ同様の構成である。
【００２２】
前記シャッター部材７は、全体が平板状の板体であって、回動自在に軸支する回転軸が前記トーションバネ６の回転軸と共用されている。その回転軸は、図３（Ａ）に示すプラグ本体５の収納孔５ａに形成された軸受け部５ｂに軸支される。
【００２３】
図３（Ｂ）に示すように、阻止部材としての前記トーションバネ６とシャッター７とが収納孔５ａに収められる。トーションバネ６の片側バネ片が外に飛び出ている。そして、図３（Ｃ）に示すように、前記装着具２ｊを収納孔５ａに取り付ける。貫通孔５ｃにはＰＯＦコード４が装着されているので、トーションバネ６の前記片側バネ片が強く押さえ込まれて、付勢力が増大する。
【００２４】
図４（Ａ）に示す状態になって、プラグ本体５にＰＯＦコード４が装着された状態となる。この状態から、不正手段により、図４（Ｂ）に示すように、ＰＯＦコード４がプラグ本体５から引き抜かれると、収納孔５ａに納められた前記トーションバネ６の他側バネ片６ａの付勢力で、シャッター部材７が反時計方向に回転して、貫通孔５ｃを閉塞する。これにより、図４（Ｃ）に示すように、この後、再びＰＯＦコード４を貫通孔５ｃに挿入しようとしても、前記シャッター部材７に心線４ａが衝突することになって、挿入が阻止されるものである。
【００２５】
なお、前記トーションバネ６とシャッター部材７とを別部材にしたが、バネ板の板材により、これらを一体に形成してもよい。
【実施例３】
【００２６】
光コネクタプラグ１ｂは、図５（Ａ），（Ｂ）に示すように、プラグ本体３の収納孔３ａに装着されるものであって、貫通孔３ｂに挿入されたPOFコード４によって前記貫通孔３ｂへの阻止部材である阻止片９ｂの拡開が阻まれるとともに、前記貫通孔３ｂにPOFコード４が挿入されていない時には前記貫通孔３ｂへ前記阻止片９ｂが拡開して閉塞し光ファイバの挿着を阻止する遮蔽部材９がある。
【００２７】
前記遮蔽部材９は、全体が弾性部材で形成されており、平板状の天板９ａと、該天板９ａの中央部から長く屈曲して下方に延設された阻止部材としての阻止片９ｂと、前記天板９ａの両端部から下方に垂設された固定用側壁９ｃとからなる。
【００２８】
また、一例として、前記収納孔３ａから前記貫通孔３ｂに脚部が挿着され該貫通孔３ｂに挿着された光ファイバの外皮の一部に食い込んで抜去防止作用をする圧接部材１０を有している。この圧接部材１０は、前記実施例の装着具（２ｄ〜２ｊ）に対応するもので、既存の光コネクタ用プラグにおいて使用されているものである。なお、POFコード４を貫通孔３ｂに接着剤などで固定する場合には、前記圧接部材１０を用いない場合もある。
【００２９】
図６（Ａ）に示すように、POFコード４が貫通孔３ｂに挿着された既存の光コネクタプラグ１ｂにおける収納孔３ａに、前記遮蔽部材９を取り付ける。阻止片９ｂは、POFコード４によって上方向に持ち上げられた状態になる。そして、図６（Ｂ）にて手順に示すように、前記遮蔽部材９に被せるようにして圧接部材１０を収納孔３ａに押圧して差込み、この圧接部材１０の脚部が前記POFコード４の外皮に食い込む。POFコード４が前記貫通孔３ｂから抜けなくなる。
【００３０】
前記プラグ本体３に挿着したPOFコード４を強制的に引き抜くと、貫通孔３ｂに前記阻止片９ｂが拡開される。よって、図６（Ｂ）の最下段の図に示すように、再度、POFコード４を前記プラグ本体３の貫通孔３ｂに挿入しようとしても、前記阻止片９ｂに衝突することになって、POFコード４を不正に挿着することができなくなる。このように、既存の光コネクタ用プラグに本発明を直ちに適用することができる。部品点数も少ないので、低コストで実現可能である。なお、前記遮蔽部材９の実施形状は、一例であり、同作用し同効果を奏するものであれば、他の形状であってもよく、特に限定するものではない。
【産業上の利用可能性】
【００３１】
本発明に係る光コネクタプラグ１は、遊戯具における不正防止対策のほか、衛生上で使い回しを禁止する医療機器などの光コネクタプラグにおいても適用することができる。
【符号の説明】
【００３２】
１          光コネクタプラグ、
１ａ        第２実施例に係る光コネクタプラグ、  
１ｂ        第３実施例に係る光コネクタプラグ、
２          遮蔽部材、                ２ａ          板バネ、
２ｂ        天板、                    ２ｃ          脚部、
２ｄ        脚部、                    ２ｅ          屈曲部、
２ｆ        補強板、                  ２ｇ          圧接ガイド部、
２ｈ        係合突起、                ２ｊ          装着具、
３          プラグ本体、              ３ａ          収納孔、
３ｂ        貫通孔、                  ３ｃ          フェルール、
４          ＰＯＦコード、            ４ａ          心線、
５          プラグ本体、              ５ａ          収納孔、
５ｂ        軸受け部、                ５ｃ          貫通孔、  
６          トーションバネ、          ６ａ          他側バネ片、
７          シャッター部材、
８          遮蔽部材、
９          遮蔽部材、                ９ａ          天板、
９ｂ        阻止片、                  ９ｃ          固定用側壁、
１０        圧接部材。
【図１−Ａ】
0005935150.tif 000002
【図１−Ｂ】
0005935150.tif 000003
【図２】
0005935150.tif 000004
【図３】
0005935150.tif 000005
【図４】
0005935150.tif 000006
【図５】
0005935150.tif 000007
【図６】
0005935150.tif 000008